(57)【要約】【課題】  サンルームの蛇腹状折畳戸をワンタッチの操作でガイドレールにロックし，またロックを解除できるロック装置を提供する。【解決手段】  折畳戸５のヒンジ枠１０内に上下のロックバー２１，２２を配置し，ヒンジ枠１０の室内側に設置したスライドケース２６のスライド操作によって，該スライドケース２６に下端を連結することによって上位のロックバー２１を直接に昇降する一方，スライドケース２６に内蔵した軸支部材３３  と，ヒンジ枠１０に固定した軸支片２５と，下位のロックバー２２の上端に突設した軸支プレート３７とをこれらに回動自在に軸支した回動プレート３６で連結することによって，下位のロックバー２２を上位のロックバー２１と逆方向に降下するように双方を連動してロック装置Ａとする。【選択図】  図７
2007239213.tif 000002
【特許請求の範囲】
【請求項１】
蛇腹状折畳戸の戸体を連結するガイドレール脱出用中空のヒンジ枠内に配置した上下のロックバーと，該ヒンジ枠の表面に一体に起立した軸支片を突出して該ヒンジ枠の内側に固定した定位置配置の裏板と，上記上下一方のロックバーの長手方向端部に連結して上下方向のスライド操作によって該ロックバーを同一方向に昇降するようにヒンジ枠にスライド自在にして上記裏板の軸支片を受入れカバーして設置したスライドケースと，該スライドケース内に配置した軸支部材と，長手方向中間を上記裏板の軸支片に，長手方向一端を該軸支部材に且つ長手方向他端を上下他方のロックバーの長手方向端部にそれぞれ回動自在に軸支した回動プレートとを備え，上記スライドケースのスライド操作によって上下のロックバーを逆方向に向けて連動昇降自在としてなることを特徴とする折畳戸のロック装置。
【請求項２】
上記スライドケースに，ヒンジ枠の室内側又は室内側と室外側にスライド操作用の摘み部材を設置してなることを特徴とする請求項１に記載の折畳戸のロック装置。
【請求項３】
上記スライドケースに対する上下一方のロックバーの連結を，該ロックバーの連結側端部にヒンジ枠内スライド自在のスライド部材を配置し該ロックバーの揺動防止状態で行ってなることを特徴とする請求項１又は２に記載の折畳戸のロック装置。
【発明の詳細な説明】
【技術分野】
【０００１】
本発明は，例えば建物やこれに付設したサンルーム等の開口に設置使用する折畳戸に関し，特にそのロック装置に関する。
【背景技術】
【０００２】
例えばサンルームの開口に設置した蛇腹状の折畳戸は，多数の戸体をヒンジ枠で回動自在に連結し，戸先からガイドレール走行用，ガイドレール脱出用の各ヒンジ枠を交互に配置したものとされ，戸袋を配置しない折畳戸にあっては，そのガイドレールを，例えば外側で低く，内側で高く段差を付した溝レールとすることによってガイドレール長手方向任意の位置で折畳みを可能としたものとされるから，ガイドレール長手方向に複数のヒンジ枠をガイドレールに係脱自在とすれば，該折畳戸のロックとその解除をなし得る。このため折畳戸のロックは，例えば，ガイドレール脱出用中空のヒンジ枠内に上下のロックバーを配置し，該上下のロックバーをそれぞれ上方及び下方に昇降する摘みを該ヒンジ枠の室内側又は室内側と室内側の双方に配置し，該摘みの各スライド乃至回転操作によって，フランス落し状に形成したロック装置を用いるものとされる。
【０００３】
【特許文献１】特開平５−３４０１５１号公報
【発明の開示】
【発明が解決しようとする課題】
【０００４】
この場合，折畳戸のロックとその解除をなし得るが，上下のロックバーを，上位のものは上方に向けて，下位のものは下方に向けてそれぞれ昇降する必要があるため，ロック及びその解除に際して上下のロックバーをその各摘みの操作によって作動させる必要があり，折畳戸の開閉が煩雑化する問題点があり，逆にいえばワンタッチの操作によってロックとその解除をなし得るロック装置が望まれる。
【０００５】
本発明はかかる事情に鑑みてなされたもので，その解決課題とするところは，脱出用のヒンジ枠内に配置した上下のロックバーを連動することによってワンタッチのロック操作及びその解除操作をなし得るようにした折畳戸のロック装置を提供するにある。
【課題を解決するための手段】
【０００６】
上記課題に沿って本発明は，脱出用のヒンジ枠にスライド自在に配置したスライドケースを設け，該スライドケースを上下のうち一方のロックバーに連結するとともにスライドケースに軸支部材を配置する一方，上記ヒンジ枠に裏板を配置しこれに起立設置した軸支片をヒンジ枠から上記スライドケース内に常時位置するようにその表面に突出し，該軸支片を回動中心として配置した回動プレートを上記スライドケース内の軸支部材と上下のうち他方のロックバーに軸支することによって上下のロックバーを連結して，ヒンジ枠の外観を損なうことなく，スライドケースを上方又は下方にスライドするワンタッチの操作によってこれら上下のロックバーを逆方向に向けて連動昇降自在としたものであって，即ち請求項１に記載の発明を，蛇腹状折畳戸の戸体を連結するガイドレール脱出用中空のヒンジ枠内に配置した上下のロックバーと，該ヒンジ枠の表面に一体に起立した軸支片を突出して該ヒンジ枠の内側に固定した定位置配置の裏板と，上記上下一方のロックバーの長手方向端部に連結して上下方向のスライド操作によって該ロックバーを同一方向に昇降するようにヒンジ枠にスライド自在にして上記裏板の軸支片を受入れカバーして設置したスライドケースと，該スライドケース内に配置した軸支部材と，長手方向中間を上記裏板の軸支片に，長手方向一端を該軸支部材に且つ長手方向他端を上下他方のロックバーの長手方向端部にそれぞれ回動自在に軸支した回動プレートとを備え，上記スライドケースのスライド操作によって上下のロックバーを逆方向に向けて連動昇降自在としてなることを特徴とする折畳戸のロック装置としたものである。
【０００７】
請求項２に記載の発明は，上記に加えて，スライドケースのスライド操作を可及的に容易になし得るものとするように，これを，上記スライドケースに，ヒンジ枠の室内側又は室内側と室外側にスライド操作用の摘み部材を設置してなることを特徴とする請求項１に記載の折畳戸のロック装置としたものである。
【０００８】
請求項３に記載の発明は，同じく上記に加えて，スライドケースに連結した上下一方のロックバーがヒンジ枠内で揺動することなく，スムーズ且つ確実にロックとその解除をなし得るものとするように，これを，上記スライドケースに対する上下一方のロックバーの連結を，該ロックバーの連結側端部にヒンジ枠内スライド自在のスライド部材を配置し該ロックバーの揺動防止状態で行ってなることを特徴とする請求項１又は２に記載の折畳戸のロック装置としたものである。
【０００９】
本発明はこれらをそれぞれ発明の要旨として上記課題解決の手段としたものである。
【発明の効果】
【００１０】
本発明は以上のとおりに構成したから，請求項１に記載の発明は，脱出用のヒンジ枠にスライド自在に配置したスライドケースを設け，該スライドケースを上下のうち一方のロックバーに連結するとともにスライドケースに軸支部材を配置する一方，上記ヒンジ枠に裏板を配置しこれに起立設置した軸支片をヒンジ枠から上記スライドケース内に常時位置するようにその表面に突出し，該軸支片を回動中心として配置した回動プレートを上記スライドケース内の軸支部材と上下のうち他方のロックバーに軸支することによって上下のロックバーを連結して，ヒンジ枠の外観を損なうことなく，スライドケースを上方又は下方にスライドするワンタッチの操作によってこれら上下のロックバーを逆方向に向けて連動昇降自在としことによって，脱出用のヒンジ枠内に配置した上下のロックバーを連動することによってワンタッチのロック操作及びその解除操作をなし得るようにした折畳戸のロック装置を提供することができる。
【００１１】
請求項２に記載の発明は，上記に加えて，スライドケースのスライド操作を可及的に容易になし得るものとすることができる。
【００１２】
請求項３に記載の発明は，同じく上記に加えて，スライドケースに連結した上下一方のロックバーがヒンジ枠内で揺動することなく，スムーズ且つ確実にロックとその解除をなし得るものとすることができる。
【発明を実施するための最良の形態】
【００１３】
以下図面の例に従って本発明を更に具体的に説明すれば，Ａはサンルームであり，該サンルームＡは，四隅の支柱１と，該四隅の支柱１の上方に配置した片流れ屋根２と，正面において桁とベース枠に起立固定し多数の中間柱で区画した嵌め殺し部３と，両側面において片流れ屋根２下位に配置した換気用の内倒し窓４及び該内倒し窓４下位の支柱１間上方に固定した上部ガイドレール６及び支柱１間下端に固定した下部ガイドレール７の案内によってそれぞれ開閉自在とした折畳戸５とを備えたアルミ製のものとしてある。
【００１４】
本例の上記折畳戸５は，多数の戸体間にそれぞれアルミ押出材製とすることによって中空としたヒンジ枠１０を介設し，該ヒンジ枠１０の両側に配置したヒンジ一方の支軸１１と戸体の縦框１２側面に配置した軸受１３とを嵌合し該軸受１３に形成した１／４円の開口によってそれぞれ９０度以上の回動を可能とすることによって蛇腹状の折畳みを行うように連結してあり，また上記上部ガイドレール６と下部ガイドレール７は，室外側で低く，室内側で高く段差を付した溝レールとし，常法に従って戸先側から一つ置きに配置した脱出用のヒンジ枠１０を室外側に上記段差を通過して室外側に脱出することによってその上記蛇腹状の折畳みを可能としてある。
【００１５】
折畳戸幅方向中間のいずれかの脱出用のヒンジ枠１０にはロック装置２０を備えてあり，該ロック装置２０は，上記中空のヒンジ枠１０内に配置した上下のロックバー２１，２２と，該ヒンジ枠  １０の表面に一体に起立した軸支片２５を突出して該ヒンジ枠１０の内側に固定した定位置配置の裏板２４と，上記上下一方のロックバー２１又は２２の長手方向端部に連結して上下方向のスライド操作によって該ロックバー２１又は２２を同一方向に昇降するようにヒンジ枠１０にスライド自在にして上記裏板２４の軸支片２５を受入れカバーして設置したスライドケース２６と，該スライドケース２６内に配置した軸支部材３３と，長手方向中間を上記裏板２４の軸支片２５に，長手方向一端を該軸支部材３３に且つ長手方向他端を上下他方のロックバー２２又は２１の長手方向端部にそれぞれ回動自在に軸支した回動プレート３６とを備え，上記スライドケース２６のスライド操作によって上下のロックバー２１，２２を逆方向に向けて連動昇降自在としたものとしてあり，このとき上記スライドケース２６は，これに，ヒンジ枠１０の室内側又は室内側と室外側にスライド操作用の摘み部材２７を設置したものとしてある。
【００１６】
本例にあって上下のロックバー２１，２２は，それぞれ，例えばステンレスパイプを用いて上位のロックバー２１の上端及び下位のロックバー２２の下端にはそれぞれローラー２３（上端は図示省略）を設置し，該ローラー２３が上記ガイドレール６，７，即ち溝レールの溝内に係脱することによってそのガイドレール６，７への係合によるロック時におけるヒンジ枠１０の揺動を防止し得るようにしてある。
【００１７】
本例にあって裏板２４は，裏板基板，と該裏板基板に起立した一体の軸支片２５とを備えた軸支片付のプレート状のものとしてあり，該裏板基板をヒンジ枠１０の裏面に，例えばネジ，リベット等の固定金具３８で固定して，該ヒンジ枠１０に透設した透孔を介してその軸支片２５をヒンジ枠１０の表面に突出し，上記回動プレート３６の長手方向中間の軸支を行うようにしてあり，このとき本例の裏板２４は，後述のロックバー２１に設置してスライドケース２６にロックバー２１とともに固定したスライド部材２８に配置した付勢ボール３０を受入れる受入孔を備えることによって該裏板を該スライド部材２８，即ちスライドケース２６のスライド上限位置を定めるストッパー部材として兼用するようにしてある。
【００１８】
本例にあってスライドケース２６は，上下に一方を低く，他方を高く設定した段差をなす上下に長寸のものとし，その低く設定した低部位には裏面に向けてガイド突起を突設配置し，その高く設定した高部位には中空部を形成配置した，例えば金属鋳造乃至樹脂成形の部材としてあり，上記ガイド突起を，ヒンジ枠１０の縦方向に透設した所定長さのガイド溝に挿入して該スライドケース２６の上下方向に対するスライド案内を行うようにする一方，上記中空部には上記軸支部材３３及び回動プレート３６のヒンジ枠１０からの突出部分を収容するようにしてあり，このとき本例の上記ガイド突起は，後述のロックバー２１連結のための表裏に貫通する貫通孔を備えたものとしてある。またこのとき該スライドケース２６は，その上記低部位の表面に上記スライド操作用にして，本例にあって該低部位と同面積にしてその高さを高部位の高さに合せるように形成した，例えば樹脂成形の摘み部材２７を配置するとともにこれと同一の摘み部材２７をヒンジ枠１０を挟んで該ヒンジ枠１０に配置し，これによってヒンジ枠１０の室内側と室外側にスライド操作用の摘み部材２７を設置したものとしてある。本例にあって該摘み部材２７の配置は，スライドケース２６の上記ガイド突起に形成した貫通孔にボルト３１を挿通し先端にナット３２を螺着してボルトナットによって一体的に固定するとともにスライドケース２６側においては，更にその低部位の裏面からネジ等の固定金具３８を摘み部材２７に螺入してその固定を行ってある。
【００１９】
本例のロック装置Ａにあって該スライドケース２６は，その低部位を上位に高部位を下位に位置するようにヒンジ枠１０における室内側側面の長手方向中間の操作位置に配置し，上記摘み部材２７を該ヒンジ枠１０の室内側と室外側に設置した状態として，その上記ガイド突起のガイド溝による案内によってそのスライド操作を行うようにしてあり，このとき該スライドケース２６の上記低部位に，本例にあって上位のロックバー２１の長手方向端部，即ち下端を連結し，上記スライド操作によってヒンジ枠１０内にあって該上位のロックバー２１を直接に昇降するものとしてある。このとき該スライドケース２６に対する該上位のロックバー２１の連結は，これを，該ロックバー２１連結側端部にヒンジ枠１０内スライド自在のスライド部材２８を配置し該ロックバー２１の揺動防止状態で行ったものとしてある。
【００２０】
本例にあって該スライド部材２８は，ヒンジ枠１０の中空部に嵌挿する嵌挿部と，該嵌挿部に形成したロックバー受入孔と，該ロックバー受入孔の先端に設置した嵌入突部とを備えたブロック状とし，そのロックバー受入孔に上記上位のロックバー２１を挿入するとともにその嵌合突部をロックバーの先端に嵌合し，例えばロックバー受入孔の壁面からのネジ，リベット等の固定金具３８によってロックバー２１に該スライド部材２８を固定してあり，該スライド部材２８の固定状態で，上記スライドケース２６の低部位からの上記ボルト３１を該スライド部材２８とロックバー２１に透設した，例えば上記嵌合突部位置の透孔に貫通することによって該ロックバー２１の上記スライドケース２６への連結を行ってある。
【００２１】
このとき該スライド部材２８は，更にその下端を下方に延設するとともにその一側室内側の側面を上記ヒンジ枠１０に配置した上記裏板２４の逃げスペースとするように裏板の肉厚に応じて低く形成した段部を配置するとともに該段部に裏板に設置した上記受入孔に嵌合する，裏面のスプリング２９で表面側に付勢した単一乃至複数の付勢ボール３０を突没自在に設置し，該付勢ボール３０が裏板２４を転動して該受入孔に至ってこれに嵌合することによって，該スライド部材２８，即ちスライドケース２６の上記スライド上限位置を規制し得るようにしてある。
【００２２】
上記スライドケースの高部位に収容した軸支部材３３は，一対の壁面部と，該壁面部の一端側に該壁面部を連結する連結部と，該壁面部の他端側を開口して開口部とを備えた，金属板加工又は金属鋳造乃至樹脂成形の断面コ字状のものとし，上記一対の壁面部に回動プレートの軸支用の透孔を，連結部に回動プレート３６一端の逃げ孔３５をそれぞれ透設したものとしてあり，該軸支部材３３  は，その連結部をスライドケース２６の中空部奥行方向に向けて該中空部に挿入し，スライドケース２６の高部位外側からのネジ，リベット等の固定金具３８によって該連結部を固定することによってその収容を行ってある。
【００２３】
回動プレート３６は，長手方向両端と中間部，本例にあっては中央部にそれぞれ軸支孔を備えるとともに長手方向一方端に配置した軸支孔を長手方向に長孔としその余を円形孔とし，また長手方向両端縁を円弧端縁とした金属板加工のステーとしてあり，該回動プレート３６は，その長孔とした軸支孔を上記スライドケース２６に収容した軸支部材３３に，中間の円形孔とした軸支孔を上記裏板２４の軸支片２５に，他端の同じく円形孔とした軸支孔を，本例にあって下位のロックバー２２上端にそれぞれ回動自在に軸支してある。該回動プレート３６の軸支は，軸支部材３３にあって，その一対の壁面部間に該回動プレート３６を挿入し，該一対の壁面部間に配置したネジ，ピン，リベット等の支軸３４を回動プレート３６の長孔の軸支孔に貫通することによって，該回動プレート３６の回動に伴う回動半径の軌跡によるスライドケース２６側への変位幅を吸収して回動プレート３６の突出幅を可及的に小さくしてその回動をなし得るようにし，裏板２４の軸支片２５にあって，該軸支片２５に長手方向中間を重合して同じく固定金具３８によってその回動をなし得るようにし，また下位のロックバー２２にあって，その上端に突設した軸支プレート３７に同じく重合して固定金具によってその回動をなし得るようにしてある。
【００２４】
このとき該下位のロックバー２２に突設した軸支プレート３７は，一方の先端に軸支孔を，他方の先端に固定孔を備えた金属板加工のものとしてあり，該軸支プレート３７をロックバー２２の上端からその中空部に挿入し，ロックバー２２の外側からネジを上記固定孔に螺入し，上記軸支孔が該ロックバー２２の上端から突出するようにその固定を行ってある。
【００２５】
以上のように構成したロック装置２０にあっては，上記摘み部材２７を手持ちして，これを上方にスライド操作すると，スライドケース２６を介して上位のロックバー２１が上昇する一方，スライドケース２６の上昇に伴ってその軸支部材３３の上昇で，ヒンジ枠１０に固定した裏板２４によって定位置に位置する軸支片２５に長手方向中間を軸支した回動プレート３６が，該軸支片２５の軸支部を回動中心として回動して，その他端の軸支プレート３６を押下げて下位のロックバー２２を連動して降下し，該上位のロックバー２１の上昇と下位のロックバー２２の連動降下によってそれぞれその先端が上部ガイドレール６，下部ガイドレール７のガイド溝に係合し，ヒンジ枠１０をガイドレール６，７に保持する結果，折畳戸５のロックがなされるに至り，また逆に上記摘み部材２７を下方にスライドすると，上位のロックバー２１が降下し，回動プレート３６が逆の作動を行うことによって下位のロックバー２２を連動して上昇し，それぞれその先端がガイド溝から脱出して，ヒンジ枠１０をフリーとして折畳戸５のロックが解除されるに至る。このとき本例にあってはスライドケース２６への上位のロックバー２１の連結をスライド部材２８を介して行うことによって該スライド部材２８がヒンジ枠１０における上位ロックバー２１の揺動を防止してそのスムーズにして確実な上昇を行うとともに該スライド部材２８に設置した付勢ボール３０が裏板２４を転動してその受入孔に嵌合するから，摘み部材２７の操作に際して摩擦抵抗を可及的に解消してスライド操作を軽量にしてスムーズに行うことができ，また付勢ボール３０の嵌合によってそのスライドの上限位置を規制してストッパーとなり，従ってスライドケース２６のガイド突起がヒンジ枠１０におけるガイド溝の端部に衝接して騒音を生じることも解消できる。更に回動プレート３６の軸支部材３３側の軸支孔を長孔としたから，軸支部材３３の軸支位置を定位置としても該軸支部材３３内の回動プレート３６の回動を可及的スムーズ且つコンパクトに行うことができ，また該回動プレート３６の長手方向端部を円弧端縁とし且つ軸支部材に逃げ孔３５を設置したから，回動プレート３６の回動に要するスペースを可及的に縮小してスライドケース２６のヒンジ枠１０からの出幅を可及的に抑制することができる。
【００２６】
図中３９は，本例にあって上記上位のロックバー２１にスライド部材２８を設置することによって該上位のロックバー２１の揺動を防止し得るところ，下位のロックバー２２には，このようなスライド部材を使用しないため，その揺動を下端で防止するように，ヒンジ枠１０の下端にネジ固定して該下位のロックバー２２を透孔に挿通してその昇降を案内するようにした振止プレート，４０はそのワッシャー，４１は振止プレート３９の固定ネジ，４２はヒンジ枠１０下端に設置したローラー２３の下位ロックバー２２への取付軸をそれぞれ示す。
【００２７】
図示した例は以上のとおりとしたが，上記スライドケースを上下に反転配置してこれを下位のロックバーの上端に連結し，回動プレートを上位のロックバーの下端に軸支することによって，スライドケースのスライド操作を上記と逆にしてロック装置の連動したロック及びその解除をなし得るようにすること，スライドケースをヒンジ枠の室内側に設置して，室内側の操作のみによってロックとその解除をなし得るようにすること等を含めて，本発明の実施に当って，折畳戸，その戸体，ヒンジ枠，ロック装置，そのロックバー，裏板，スライドケース，回動プレート，必要に応じて用いる摘み部材，スライド部材等の各具体的形状，構造，材質，これらの関係，これらに対する付加等は，上記発明の要旨に反しない限り様々な形態のものとすることができる。
【図面の簡単な説明】
【００２８】
【図１】サンルームの斜視図である。
【図２】ヒンジ枠におけるロック装置の室内側正面図である。
【図３】ヒンジ枠におけるロック装置の側面図である。
【図４】ヒンジ枠における摘み部材の室外側正面図である。
【図５】ロック装置の分解斜視図である。
【図６】上下のロックバーのロック解除時におけるロック装置の縦断面図である。
【図７】上下のロックバーのロック時におけるロック装置の縦断面図である。
【図８】上下のロックバーのスライド操作中間時におけるロック装置の縦断面図である。
【図９】図８のヒンジ枠の横断面図である。
【符号の説明】
【００２９】
Ａ  サンルーム
１  支柱
２  片流れ屋根
３  嵌め殺し部
４  内倒し窓
５  折畳戸
６  上部ガイドレール
７  下部ガイドレール
１０  ヒンジ枠
１１  支軸
１２  縦框
１３  軸受
２０  ロック装置
２１  上位ロックバー
２２  下位ロックバー
２３  ローラー
２４  裏板
２５  軸支片
２６  スライドケース
２７  摘み部材
２８  スライド部材
２９  スプリング
３０  付勢ボール
３１  ボルト
３２  ナット
３３  軸支部材
３４  支軸
３５  逃げ孔
３６  回動プレート
３７  軸支プレート
３８  固定金具
３９  振止プレート
４０  ワッシャー
４１  固定ネジ
４２  取付軸
【図１】
2007239213.tif 000003
【図２】
2007239213.tif 000004
【図３】
2007239213.tif 000005
【図４】
2007239213.tif 000006
【図５】
2007239213.tif 000007
【図６】
2007239213.tif 000008
【図７】
2007239213.tif 000009
【図８】
2007239213.tif 000010
【図９】
2007239213.tif 000011